(57)【要約】【課題】１枚のディスクで、ＨＤＤＶＤも２層ＤＶＤの情報も扱えるようにする。【解決手段】（１）光透過層と第１レーザ光によりアクセスされる第１記録層と第２記録層、第２レーザ光によりアクセスされる第３記録層がレーザ光入射方向に順に配置されること（２）光入射面から第１記録層までの光透過層の距離が最小５５０μｍであること（３）第１記録層と第３記録層との間隔が最大で７２μｍであること(４)第２記録層と第３記録層との間隔が最小１５μｍであること（５）第１記録層と第２記録層との間隔が概ね３１〜４０μｍの間であること（６）第1レーザ光による第１記録層及び第２記録層のから反射率の範囲が１８〜２７％で、その比が概ね１．１以下であること（７）第１レーザ光による第３記録層からの反射率が概ね６％未満であること（８）第３記録層の面記録密度が第１記録層及び第２記録層の面記録密度の３倍以上であることを基本としている。【選択図】    図７
2007052863.tif 000002
【特許請求の範囲】
【請求項１】
光透過層と、第１レーザ光によりアクセスされる第１記録層と第２記録層、第２レーザ光によりアクセスされる第３記録層がレーザ光入射方向に順に配置された片面３層光ディスクであって、
第１記録層の位置が光入射面から最小５５０μｍであり、
第１記録層と第３記録層との間隔が最大で７２μｍであり、
第２記録層と第３記録層との間隔が最小１５μｍであり、
第１記録層と第２記録層との間隔が概ね３１〜４０μｍの間であり、
第1レーザ光による第１記録層及び第２記録層のから反射率の範囲が１８〜２７％で、その比が概ね１．１以下であり、
第１レーザ光による第３記録層からの反射率が概ね６％未満であり、
第３記録層の面記録密度が第１記録層及び第２記録層の面記録密度の３倍以上である光ディスク。
【請求項２】
第２レーザ光による第３記録層の反射率が１４〜２４％である請求項１記載の光ディスク。
【請求項３】
第１記録層を形成した第１信号基板と、第２基板に形成した第３記録層上に第２の中間層を介して第２記録層を形成し、第１信号基板および第２信号基板の記録層面を内側にして２つの基板を接着し、第１中間層を形成することを特長とする請求項１記載の光ディスク作製方法。
【請求項４】
光ディスクに記録された情報を読み取る装置であって、
前記光ディスクは、光透過層と、第１レーザ光によりアクセスされる第１記録層と第２記録層、第２レーザ光によりアクセスされる第３記録層がレーザ光入射方向に順に配置された片面３層光ディスクであって、
第１記録層の位置が光入射面から最小５５０μｍであり、
第１記録層と第３記録層との間隔が最大で７２μｍであり、
第２記録層と第３記録層との間隔が最小１５μｍであり、
第１記録層と第２記録層との間隔が概ね３１〜４０μｍの間であり、
第1レーザ光による第１記録層及び第２記録層からの反射率の範囲が１８〜２７％で、その比が概ね１．１以下であり、
第１レーザ光による第３記録層からの反射率が６％未満であり、
第３記録層の面記録密度が第１記録層及び第２記録層の面記録密度の３倍以上であり、
情報を読み取る装置は、
前記第１レーザ光と第２レーザ光を発生可能な光ヘッドと、
前記第１レーザ光か第２レーザ光を選択的に発生させる制御手段
を備えた光ディスク装置。
【請求項５】
前記制御手段は、ユーザインタフェースによる利用者入力に基づいて第１レーザ光か第２レーザ光を選択する
請求項４に記載の光ディスク装置。
【発明の詳細な説明】
【技術分野】
【０００１】
この発明は、ＤＶＤのように映画や音楽などのデジタル化された映像音響作品などを蓄積する媒体となる光ディスクに関し、また光ディスクの記録情報を読み取る光ディスク装置、光ディスクの作製方法に関し、また記録媒体とするデジタル作品出版物にも及ぶものである。
【背景技術】
【０００２】
＝＝＝ＤＶＤ規格の概要＝＝＝
周知のように、デジタル映像を蓄積する光ディスクとして、ＤＶＤ(デジタル多用途ディスク)があり、主に映画コンテンツの蓄積・配布（デジタル作品出版物）として全世界で幅広く使われている。このＤＶＤは、ＤＶＤフォーラムが作成したフォーマットで、ＤＶＤBookとして公開され（ワールド・ワイド・ウエーブdvdforum.org参照)、また国際規格やJISとしても定められている。ここでは、ＤＶＤ物理フォーマットの１つである、１２０ｍｍＤＶＤ−ＲＯＭの国際規格、ISO/IEC 16448に従って簡単に説明する。また国際規格に関連した文献としてＥＣＭＡ２６７がある。
【０００３】
１２０ｍｍＤＶＤ−ＲＯＭには、片面仕様で記録層が１層のものと２層のもの、そしてこれらを両面化したもの、合わせて４種類のディスクがある。映画などのコンテンツの蓄積配布では、主に、片面１層ＤＶＤディスク（４.７ＧＢ）と片面２層ＤＶＤディスク（８.５４ＧＢ）が使われているが、最近では片面２層ＤＶＤディスクが全体の６０％を占めている。
【０００４】
一方、上記ＤＶＤ（既存ＤＶＤと称する）に比べて、さらに大容量のディスクの開発が要望されている。これはＨＤ(High Definition)映像（高精細映像）を、１枚のディスク（次世代ＤＶＤと仮に称する）に入れたいという要望から生じている。
【非特許文献１】ＥＣＭＡ２６７
【発明の開示】
【発明が解決しようとする課題】
【０００５】
上記の次世代ＤＶＤが開発された場合、この次世代ＤＶＤは、既存ＤＶＤに比べ、記録密度、変調方式、信号処理、トラックフォーマットなどが大きく異なるため、従来のＤＶＤ装置（ドライブあるいはプレーヤ）では読み取ることができない。つまり、従来のＤＶＤ装置では、次世代ＤＶＤディスクに収録されたＨＤ映画コンテンツだけではなく、次世代ＤＶＤに収録された従来のＤＶＤ映画コンテンツも読み取ることができないなどの課題があり、次世代ＤＶＤを普及させる上で、阻害要因となることが考えられる。
【０００６】
さらにまた、上記したように、既存のＤＶＤディスクには、片面２層ＤＶＤディスクが全体の６０％を占めているので、この片面２層ＤＶＤディスクと同様な感覚で取り扱うことのできる新しい次世代ディスクが要望される。
【０００７】
そこでこの発明の目的の一面は、上記のような課題に鑑みて、１つのディスクで、ＨＤＤＶＤの情報（コンテンツ）も片面２層ＤＶＤの情報(コンテンツ)も扱えるようにするもので、その光ディスク、光ディスク作製方法、光ディスク装置を提供するものである。
【課題を解決するための手段】
【０００８】
この発明の一実施の形態は、上記の目的を達成するために、光透過層と、第１レーザ光によりアクセスされる第１記録層と第２記録層、第２レーザ光によりアクセスされる第３記録層がレーザ光入射方向に順に配置された片面３層光ディスクであって、第１記録層の位置が光入射面から最小５５０μｍであり、第１記録層と第３記録層との間隔が最大で７２μｍであり、第２記録層と第３記録層との間隔が最小１５μｍであり、第１記録層と第２記録層との間隔が概ね３１〜４０μｍの間であり、第1レーザ光による第１記録層及び第２記録層のから反射率の範囲が１８〜２７％で、その比が概ね１．１以下であり、第１レーザ光による第３記録層からの反射率が概ね６％未満であり、第３記録層の面記録密度が第１記録層及び第２記録層の面記録密度の３倍以上であることを基本的な特徴とする。
【発明の効果】
【０００９】
この発明によれば、片側から第１記録層及び第２記録層（２層ＤＶＤに相当）に第１レーザ光（赤色レーザ光）、第３記録層（ＨＤ ＤＶＤ層に相当）に第２レーザ光（青紫色レーザ光）でアクセス可能な光ディスクを提供することができる。従って、現在広く普及している片面２層ＤＶＤディスクの映画コンテンツと、ＨＤ ＤＶＤの映画コンテンツの両方を１つの光ディスクに入れることができる。この結果、この光ディスクは、すでに、あるいはこれからＤＶＤとしてコンテンツを提供するほとんどの映画コンテンツ（一般には、本編とボーナスコンテンツからなる）を収録することができ、ＳＤ映像とＨＤ映像の両方を扱える本格的なコンビネーションディスクとなる。
【００１０】
そして、従来のＤＶＤ対応光ディスク装置では、ＤＶＤのコンテンツを再生し、新規なＨＤ ＤＶＤ対応光ディスク装置では、ＨＤ ＤＶＤの映画コンテンツ、またはＨＤ ＤＶＤとＤＶＤの映画コンテンツの両方を再生することができる。
【００１１】
たとえば、同じ映画コンテンツをＤＶＤコンテンツとＨＤ ＤＶＤコンテンツとして用意し、この２つの映画コンテンツを１枚の光ディスクにいれておけば、ＤＶＤ対応装置だけしか持っていないユーザはＤＶＤ映画コンテンツを見ることができ、一方、ＨＤ ＤＶＤ対応装置を持っているユーザは、ＨＤ ＤＶＤ映画コンテンツを見ることができる。
【００１２】
現在、ＨＤ ＤＶＤ対応装置を持っていないユーザでも、将来、ＨＤ ＤＶＤ対応装置を購入すれば、新たにＨＤ ＤＶＤディスクを購入しなくても、既に購入した光ディスクでＨＤの映像を楽しむことができ、ユーザにとってそのメリットは大きい。
【００１３】
また、本発明の光ディスクは赤色レーザ光でＤＶＤ層をアクセスしたとき、ＨＤ ＤＶＤ層からのレイヤクロストークが６％未満であることから、ツインフォーマットディスクで課題となったいくつかのＤＶＤ装置でＤＶＤ層を読めないという課題が解決できる。
【発明を実施するための最良の形態】
【００１４】
以下、図面を参照してこの発明の実施の形態を説明する。まず、この発明の理解を容易にするために、図1乃至図６を用いて、現存ＤＶＤと次世代ＤＶＤの技術について説明する。そして図７に本発明に係る次世代ＤＶＤの基本的構成を説明する。
【００１５】
＝＝＝片面２層ＤＶＤ＝＝＝
図１は片面２層ＤＶＤディスク１０の基本構造と光ヘッドの関係を示す。よく知られているように、このディスクは、ＤＶＤ層（Ｌ０）１５とＤＶＤ層（Ｌ１）１７を持ち、ディスクの片面から、この２つのＤＶＤ層にアクセスして信号の再生ができる。図示しているとおり、光入射面１１から見ると、光透過層１４を通して、手前がＤＶＤ層（Ｌ０）１５で、その奥側がＤＶＤ層（Ｌ１）１７である。各ＤＶＤ層へのアクセスは、対物レンズ２１をレンズアクチュエータで動かし、層間ジャンプさせることで実現している。
【００１６】
この２層ディスクの作製は、片面１層ＤＶＤディスクとほぼ同じように作製できるのが大きな特徴である。まず、射出成形機で、ＤＶＤ層（Ｌ０）１５の形成されるＬ０基板１２と、ＤＶＤ層（Ｌ１）１７の形成されるＬ１基板１３を別々に作製する。次に、ＤＶＤ層（Ｌ０）１５には低反射膜、ＤＶＤ層（Ｌ１）１７には高反射率膜をつけ、その後両方の基板を、ＤＶＤ層を内側にして、中間層１６で貼り合わせれば完成である。なお、Ｌ１基板１３に形成されるトラックのスパイラル方向は、Ｌ０基板１２に形成されるトラックのスパイラル方向とは逆向きだが、貼り合わせた後は、光入射面１１から見ると同じ方向となる。
【００１７】
図２は、片面２層ＤＶＤディスクの光入射面１１から見たＤＶＤ層の位置を示す図である。光入射面からみたＤＶＤ層（Ｌ０）１５とＤＶＤ層（Ｌ１）１７の位置は、対物レンズの球面収差やＤＶＤ層間のクロストークを考慮し、ＤＶＤ層（Ｌ０）１５の位置は最小５５０μｍ、ＤＶＤ層（Ｌ１）１７の位置は、最大で６４０μｍに限定され、かつ２つの層間の距離（中間層１６）は、層間クロストークの観点から４０〜７０μｍと定められている。この中間層１６は、通常２つの基板を貼り合せたときに出来る接着層の厚みで、実際の製造では、貼り合わせの精度とＬ０基板１２の成形精度を考慮して決められる。なお、線記録密度は片面1層ＤＶＤディスクに対し、１０％減らされ、各層当たりの容量は４．２７ＧＢである。ジッターは、８.０％未満と規定されている。
【００１８】
一方、ＤＶＤ層の反射率は、
１層ディスク：４５〜８５％（ＰＢＳ有り）
２層ディスク：１８〜３０％（ＰＢＳ有り）
と決められている。
【００１９】
ディスクの反射率やレイヤ構成などを示す識別情報は、Data frameのＩＤ(Identification Data)とＤＶＤ層（Ｌ０）１５のリードインエリアにあるＣＤＺ（Control Data Zone）のＰＦＩ(Physical format information)にある。なお、映像を扱うＤＶＤビデオでは、ＢＣＡ(Burst cutting area)を形成することはできない。
【００２０】
＝＝＝ＨＤ ＤＶＤ＝＝＝
一方、最近よく報道されているように、ＨＤ映像（高精細）をディスク１枚に入れたいという要望から、青紫色半導体レーザ(以降、青紫色レーザ)を用いて、ＤＶＤの３倍以上の高密度化したＨＤ ＤＶＤが提案され、ＤＶＤフォーラムで規格化が行われている（ワールド・ワイド・ウエーブdvdforum.org参照。まだ商品化されていない）。
【００２１】
ＨＤ ＤＶＤは、従来のＤＶＤとディスク構造を有し、容量は、片面１層ＨＤ ＤＶＤディスクが１５ＧＢ、片面２層ＨＤ ＤＶＤディスクが３０ＧＢである。これらの大容量化は、レーザ光の短波長化、高ＮＡ化、変調方式、新しい信号処理（ＰＲＭＬ：Partial Response and Maximum Likelihood）などの新しい技術で実現されている。
【００２２】
図３に、片面２層ＨＤ ＤＶＤディスク３０の基本構造と光ヘッドの関係を示す。ＨＤ ＤＶＤは、ディスクから情報を読み出すレーザ光が赤色（６５０ｎｍ）から青紫色（４０５ｎｍ）４０へと短波長化したこと、対物レンズ４１のＮＡが０．６から０．６５と大きくなったことから、球面収差やチルトによるコマ収差などが異なる。このため、実際のディスクでは、光入射面３１からのＨＤ ＤＶＤ層（Ｌ０）３５、ＨＤ ＤＶＤ層（Ｌ１）３７の位置、そして中間層３６の厚みなどがＤＶＤとは異なる。
【００２３】
図４に、光入射面３１から見た片面２層ＨＤ ＤＶＤディスクの各層の位置を示す。短波長化、高ＮＡ化に伴い、球面収差が厳しくなったため、ＨＤ ＤＶＤ層（Ｌ０）３５の位置は、最小で５７８μｍ、ＨＤ ＤＶＤ層（Ｌ１）３７の位置は、最大で６２２μｍに限定され、２層間の距離（中間層３６）は、１５〜２５μｍと定められている。
【００２４】
一方、ＨＤ ＤＶＤ層の反射率は、
１層ディスク：４０〜７０％（複屈折を含む）
２層ディスク：１８〜３２％（複屈折を含む）
と決められている。
【００２５】
ディスクの反射率やレイヤ構成などを示す識別情報は、ＤＶＤの場合と同様、Data frameのＩＤ(Identification Data)とＤＶＤ層（Ｌ０）３５のシステムリードインエリアにあるＣＤＺ（Control Data Zone）のＰＦＩ(Physical format information)にある。この他、ＨＤ ＤＶＤでは、ディスクの識別情報やコンテントプロテクション情報などが、リードインエリアより内側に形成されるＢＣＡ(Burst cutting area)に設けられている。このＢＣＡはＨＤ ＤＶＤ層（Ｌ１）３７に形成される。
【００２６】
＝＝＝既存ＤＶＤとＨＤ ＤＶＤ＝＝＝
このように、ＨＤ映像を蓄積可能な大容量のＨＤ ＤＶＤが提案され、新たにＨＤ ＤＶＤ用に設計されたＨＤ ＤＶＤ装置（ドライブあるいはプレーヤ）であれば、ＨＤ ＤＶＤディスクだけではなく、ＤＶＤについても読めるように設計することは可能である。しかし、このＨＤ ＤＶＤディスクは、既存ＤＶＤに比べ、記録密度、変調方式、信号処理、トラックフォーマットなどが大きく異なるため、従来のＤＶＤ装置（ドライブあるいはプレーヤ）ではその記録情報を読み取ることができない。つまり、従来のＤＶＤ装置では、ＨＤ ＤＶＤディスクに収録されたＨＤ映画コンテンツだけではなく、従来のＤＶＤ映画コンテンツも読み取ることができないなどの課題がある。この課題に対応するため、最近、ＨＤ ＤＶＤ記録層とＤＶＤ記録層とを持つＨＤ ＤＶＤ／ＤＶＤ  ツインフォーマットディスク(Twin Format Disc)がＨＤ ＤＶＤフォーマットの中で規格化された(ワールド・ワイド・ウエーブdvdforum.org参照)。
【００２７】
＝＝＝ＨＤ ＤＶＤ／ＤＶＤ ツインフォーマットディスク＝＝＝
ツインフォーマットディスクは、従来のＤＶＤ装置ではＤＶＤディスクとして扱え、ＨＤ ＤＶＤ装置ではＨＤ ＤＶＤディスクとして取り扱うことができる新しいディスクである。そして、両方のフォーマットに対応した互換装置であれば、両方の情報（コンテンツなど）をユーザが選択して読み取ることのできるディスクである。
【００２８】
図５に、ＨＤ ＤＶＤ／ＤＶＤ  ツインフォーマットディスク の基本構造と光ヘッドの関係を示す。ツインフォーマットディスク５０は、ＤＶＤ層の形成されるＤＶＤ基板５２、ＨＤ ＤＶＤ層が形成されるＨＤ ＤＶＤ基板５３、そして中間層５６より成り、光入射面５１から見て手前にＤＶＤ層５５、奥側にＨＤ ＤＶＤ層５７が形成されている。
【００２９】
図６に、ツインフォーマットディスクの各層の位置関係を示す。ＤＶＤ層５５の位置は、光入射面５１から５５０〜５７５μｍ、中間層５６は３３〜４７μｍ、そして、ＨＤ ＤＶＤ層５７は、５７８〜６２２μｍにある。なお、ＤＶＤ層５５とＨＤ ＤＶＤ層５７の最大距離は７２μｍである。
【００３０】
そして、このディスクを赤色レーザ光で読んだときの反射率は、
ＤＶＤ層              ４５％以上
ＨＤ ＤＶＤ層         ８％未満
と規定されている。現行の片面１層ＤＶＤディスクでは、レイヤクロストークの定義はないが、ＨＤ ＤＶＤ層からのクロストークを規定することで、現行ＤＶＤ装置でうまく読めるようにしている（レイヤクロストークが８％に近いと、いくつかのプレーヤでは情報を読めない場合がある）。
【００３１】
一方、青紫色レーザ光で読んだときの反射率は
ＨＤ ＤＶＤ層          １４〜２８％
と規定されている。
【００３２】
このように、ＨＤ ＤＶＤフォーマットの中で、ツインフォーマットディスクが規定されたことで、従来のＤＶＤ装置でも、ＤＶＤ情報を読み取ることが可能となった。
【００３３】
このディスクの反射率やレイヤ構成などを示す識別情報は、ＤＶＤ層５５とＨＤ ＤＶＤ層５７にあり、また、ＨＤ ＤＶＤ層５７には、ＢＣＡがリードインエリアの内側に形成されている。
【００３４】
しかしながら、このツインフォーマットディスクで規定されているのは、1層ＤＶＤディスクなので、実際のマーケットの大半を占める２層ＤＶＤディスクで作製されているコンテンツを収録することはできないという課題がある。また、赤色レーザで読んだときのＨＤ ＤＶＤ層からの反射率が８％未満と定められているが、この反射率が８％に近いと、いくつかのプレーヤではＨＤ ＤＶＤ層からのレイヤクロストークのために、読めないという問題がある。
【００３５】
そこで発明者等は、１つのディスクで、ＨＤ ＤＶＤの情報（コンテンツ）も片面２層ＤＶＤの情報(コンテンツ)も扱えるようにした、光ディスク、光ディスク装置、光ディスク再生方法、光ディスクを媒体としたデジタル作品出版物を工夫している。以下、その具体的実施形態を説明する。
【００３６】
＝＝＝光ディスクの基本構成＝＝＝
図７に、この発明の一実施例である光ディスクと光ヘッドの関係を示す。光ディスク７０は、光入射面７１から順に、第１信号基板７２、第１記録層（ＤＶＤ層（Ｌ０））７５、第１中間層７６、第２記録層(ＤＶＤ層（Ｌ１）)７７、第２中間層８０、第３記録層（ＨＤ ＤＶＤ層（Ｌ２））８１が形成されている。ＤＶＤ層（Ｌ０）７５及び（Ｌ１） ７７は、対物レンズ２１を通して赤色レーザ光２０で読み取り、ＨＤ ＤＶＤ層（Ｌ２）は、対物レンズ４１を通して、青紫色レーザ光４０で読み取られる。
【００３７】
図８は、光入射面７１から各記録層までの位置関係を示す図である。ＤＶＤ層（Ｌ０）７５は、光入射面７１から最小５５０μｍにあり、一方、ＨＤ ＤＶＤ層（Ｌ２）８１は、最大で６２２μｍにある。従って、許容される２つの層間の距離は、最大で７２μｍとなる。この７２μｍの間に、ＤＶＤ層（Ｌ０）、（Ｌ１）、及びＨＤ ＤＶＤ層（Ｌ２）の３つの記録層を、各々の規格を満足しながら、実用的に製造できる範囲で配置できればよい。
【００３８】
現行ＤＶＤ規格では、２層ＤＶＤディスクの層間距離は最小で４０μｍ、同様に２層ＨＤ ＤＶＤディスクの層間距離は最小で１５μｍである。７２μｍからこれらを除くと、余裕は１７μｍとなる。この１７μｍで、第1信号基板７２、第１中間層７６、及び第２中間層８０の製作精度をカバーしなければならない。
【００３９】
しかし、現在の製造技術では、第１信号基板の射出成形の精度は、スタンパーの製作精度や取り付け精度なども考えると、概ね±７μｍ程度が製作精度の限界である。一方、中間層の形成精度は、１５〜２０μｍの場合で概ね±２μｍ、３０〜４０μｍの場合で概ね±〜３μｍ程度である。これらの製作誤差を合わせると、合計で２４μｍとなり、実用的な製造を考えると、ほぼ７μｍが不足する（＝１７μｍ-２４μｍ）。
【００４０】
これが、現在、ＨＤ ＤＶＤ/ＤＶＤ  ツインフォーマットディスクで、ＤＶＤ層を２層化できなかった理由でもある。
【００４１】
本発明は、ＤＶＤ層の反射率の比率に制限を加えることで、レイヤクロストークを増やさずに層間の距離をある程度小さくできることを見出し、これに基づいてなされたものである。
【００４２】
図８に、本発明の記録層の位置関係の実用的な一例を示す。本発明では、ＤＶＤ層（Ｌ０）７５及び（Ｌ１）７７の反射率の違いの比率を、概ね１０％に制限することで、第１中間層７６の最小値を３２μｍ程度まで短くした。この結果、第１中間層７６は３２〜３８μｍ、第２中間層８０は１５〜１９μｍで、ＤＶＤ層（Ｌ０） ７５は光入射面７１から５５７．５±７．５μｍ、ＤＶＤ層（Ｌ１）７７は５９２．５±１０．５μｍ、ＨＤ ＤＶＤ層（Ｌ２） ８１は６０９．５±１２．５μｍとなり、片面２層ＤＶＤ層とＨＤ ＤＶＤ層の３つの記録層を、一つのディスク形成することが可能となった。
【００４３】
＝＝＝本発明ディスクの作製の仕方、作製プロセス＝＝＝
図９に、本発明の具体意的なディスク作製の一実施例を示す。
【００４４】
（１）第１射出成形機（図示していない）でＤＶＤ層（Ｌ０）のピットの形成される第１信号基板を成形する。基板の厚さの精度は、５５７．５±７．５μｍである。その後、第１のスパッター装置(図示していない)で半透明膜をスパッターし、ＤＶＤ層（Ｌ０）を形成する
（２）第２射出成形機（図示していない）でＨＤ ＤＶＤ層（Ｌ２）の形成される第２信号基板を成形する。基板の厚さは概ね０．６ｍｍであればよい。第２のスパッター装置(図示していない)で高反射膜をスパッターし、ＨＤ ＤＶＤ層（Ｌ２）を形成する
（３）ＨＤ ＤＶＤ層を形成した第２信号基板の上に第１のスピンコータ(図示していない)で第２中間層となる透明膜を形成する
（４）別に製作したＤＶＤ層（Ｌ１）の金型となる透明スタンパー８６を押し付けて引き剥がし、ＤＶＤ層（Ｌ１）ピットおよび第２中間層を形成する。中間層の厚さは１７±２μｍである。
【００４５】
（５）ＤＶＤ層（Ｌ１）のピットの上に第３のスパッター装置（図示していない）で半透明膜をスパッターし、ＤＶＤ層（Ｌ１）を形成する。この結果この第２信号基板にはＤＶＤ層（Ｌ１） ７７及びＨＤ ＤＶＤ層（Ｌ２） ８１が形成されている。
【００４６】
（６）（１）で製作した第１信号基板７２と（５）で製作した第２信号基板を接着装置（図示していない）で、３５±３μｍの精度で貼り合わせる。
【００４７】
以上は、本発明のディスク作製の一例を示すものである。別の方法としては、ＤＶＤ層（Ｌ０）を形成した第１信号基板の上にＤＶＤ層（Ｌ１）を形成し、別にＨＤ ＤＶＤ層（Ｌ２）を第２信号基板に形成し、これら２つの基板を接着して作製しても良い。
【００４８】
図１０に本発明ディスク作製のプロセスを示す。図の左側の点線の矩形ブロック９５は、従来の２層ディスクやツインフォーマットディスクの作製プロセスと同じである。一方、右側の点線の矩形ブロック９９は本発明用に追加されたプロセス部分である。
【００４９】
２台の射出成形機（図示していない）に、それぞれＬ０用スタンパー（ＤＶＤ層用）とＬ２用スタンパー（ＨＤ ＤＶＤ層用）を装填し（ステップ８８，９１）、夫々Ｌ０用第１信号基板７１とＬ２用第２信号基板７２を射出成形する（ステップ８９、９２）。次に、２台のスパッター装置（図示していない）で、反射膜をスパッターし、ＤＶＤ層（Ｌ０）７５とＨＤ ＤＶＤ層（Ｌ２）を形成する（ステップ８１）。
【００５０】
従来の２層ディスク(ＤＶＤ、ＨＤ ＤＶＤ)やツインフォーマットディスクの場合は、各々の層の反射率は各々が規定する反射率で本発明の反射率とは異なるが、これら２つの基板を貼り合わせ装置（図示していない）を用いて、貼り合わせれば（ステップ９３）、出来上がりである。
【００５１】
これに対し、本発明では追加プロセス９９を用いて第２信号基板７２に形成されたＨＤＤＶＤ層（Ｌ２）（ステップ８１）の上に、ＤＶＤ層（Ｌ１）７７を形成する。まず、スピンコート装置(図示していない)を用いて第２中間膜をスピンコートし（ステップ９６）、その上に透明スタンパーを押し付け（ステップ８６）・硬化させた後引き剥がし（８７：装置は図示していない）、ＤＶＤ層（Ｌ１）用を形成する（ステップ９７）。
【００５２】
その後、この上に反射膜をスパッターし（装置は図示していない）ＤＶＤ層（Ｌ１）７７を形成する。第１中間膜をスピンコートした第１信号基板９０に、第２及び第３記録層の形成された第２信号基板を、記録膜を内側にして接着すれば（ステップ９３）、本発明ディスクの完成である（ステップ９４）。
【００５３】
このプロセスの特徴は、ツインフォーマットディスクの作製プロセスに対し、プロセス９９を追加することで作製することができる。その理由は、接着工程で形成される第１中間層の厚さが、ツインフォーマットディスクの場合とほぼ近い厚さなので、簡単なチューニングで本発明の第１中間層７６を形成できるためである。このため、上記した作製プロセスは、設備に係る経費節減に対しても有効な作製方法である。
【００５４】
＝＝＝ＤＶＤの層間クロストークと中間層＝＝＝
ＤＶＤの中間層は４０〜７０μｍと定められ、一方、反射率は１８〜３０％である。このことは、層間間隔が最小の４０μｍでも、層間クロストークも含めて反射率規定が成立することを示している。つまり、（３０％/１８％）≒１．６７まで、層間のクロストークが大きくなっても、クロストークによる信号の劣化は問題ないことを示している。このことは、ＤＶＤ層（Ｌ０）７５及び（Ｌ１）７７の反射率の違いの比率が小さければ、その分、層間間隔（第１中間層７６）を狭めても層間クロストークの範囲を、本来の設計値の範囲と同じにすることができることを示している。
【００５５】
今、ＤＶＤ層（Ｌ０）７５及び（Ｌ１）７７の反射率の比率が同じであるとした場合は、層間間隔（第１中間層７６）は、
40μｍ/√(1.667）＝3１μｍ
まで、レイヤクロストークを同じにして、層間間隔を狭めることが可能となる。
【００５６】
実用的には、ＤＶＤ層（Ｌ０）７５及び（Ｌ１）７７の反射率の比を１．０６（反射率の違い：６％）程度にすることは可能なので、層間間隔（第１中間層７６）は、
40μｍ/√(1.67/1.075）＝32.１μｍ
となり、ＤＶＤ規格の４０μｍからほぼ３２μｍまで狭くしても、レイヤクロストークを同じにすることが可能である（反射率の比が１,１の場合は概ね３２．５μｍである）。
【００５７】
＝＝＝各層の反射率＝＝＝
本発明の実施例では、ＤＶＤ層の反射膜にＡｇ合金膜、ＨＤ ＤＶＤ層の反射膜にＡｌ合金膜を使って、上記の条件を満足するディスク構成について示す。光入射面７１での反射ロスは、簡単のため赤色レーザ光および青紫色レーザ光に対し、往復で１０％とした。また、ディスクの複屈折率は、ＨＤ ＤＶＤ−ＲＯＭ規格と同じ往復(ダブルパス)で６０ｎｍとし、青紫色レーザ光では最大２０％のロス、赤色レーザ光では、最大８．２％のロスとして、最終結果で考慮することにした。
【００５８】
図１１はＡｇ合金膜の厚さを変えた時の反射率と透過率の実測値で、（ａ）は赤色レーザ光(６５０ｎｍ)、（ｂ）は青紫色レーザ光（４０５ｎｍ）に対するものである。
【００５９】
図１２は、この実測値をベースに、計算でＡｇ合金膜の反射率と透過率を求めたもので、（ａ）が赤色レーザ光（６５０ｎｍ）、（ｂ）が青紫色レーザ光（４０５ｎｍ）に対するものである。以下の計算では、図１１の反射率及び透過率を用いて計算を行った。
【００６０】
図１３に、赤色レーザ光(Ｉｒ)２０を本発明の光ディスク７０に入射させたときの各層からの反射光と反射率の関係を示す。各層の反射率は、各記録膜の反射率及び透過率を用いて計算することができる。ただし、入射面のロスは１０％、複屈折の影響は後で考慮することにし、この式には入れていない。
【００６１】
ＤＶＤ層（Ｌ０）７５の反射率、
Ｒｒ０＝Ｉｒ０／Ｉｒ≒0.9×rr0                              （１）
ＤＶＤ層（Ｌ１）７７の反射率
Ｒｒ１＝Ｉｒ１／Ｉｒ≒0.9×（tr0）２×rr1                  （２）
ＨＤ ＤＶＤ層（Ｌ２）８１の反射率
Ｒｒ２＝Ｉｒ２／Ｉｒ≒0.9×（tr0）２×（tr1）２×rr2        （３）
同様に、図１４に、青紫色レーザ光(Ｉｂ)４０を本発明の光ディスク７０に入射させたときの各層からの反射光と反射率の関係を示す。各層の反射率は、各記録層の反射率及び透過率を用いて計算することができる。ただし、入射面のロスは１０％、複屈折の影響は後で考慮することにし、この式には入れていない。
【００６２】
ＤＶＤ層（Ｌ０）７５の反射率
Ｒｂ０＝Ｉｂ０／Ｉｂ≒0.9×rb0                              （４）
ＤＶＤ層（Ｌ１）７７の反射率
Ｒｂ１＝Ｉｂ１／Ｉｂ≒0.9×（tb0）２×rb1                  （５）
ＨＤ ＤＶＤ層（Ｌ２）８１の反射率
Ｒｂ２＝Ｉｂ２／Ｉｂ≒0.9×（tb0）２×（tb1）２×rb2        （６）
本発明の光ディスクは、赤色レーザ光で再生した場合、既存の２層ＤＶＤディスクの反射率規定を満足する必要がある。
【００６３】
図１５は、図１２のデータを用いて、（ａ）Ｌ０層の反射率（Ｒｒ０）とＬ１層の反射率（Ｒｒ１）とを同じにし、（ｂ）かつ２層ＤＶＤディスクの反射率の規定を満足するような範囲で、Ｌ０層に形成されるＡｇ合金膜の厚みを変化させたとき、（ｃ）赤色レーザ光に対する各層の反射率（Ｒｒ０、Ｒｒ１、Ｒｒ２）、（ｄ）及び青紫色レーザ光に対する各層の反射率（Ｒｂ０、Ｒｂ１、Ｒｂ２）を計算し、（ｅ）グラフ化したものである。ただし、複屈折は無く、ＨＤ ＤＶＤ層（Ｌ２）の厚さは、４０ｎｍ一定とした。
【００６４】
赤色レーザ光(Ｉｒ)２０を本発明の光ディスク７０に入射させたときの各層の反射率を以下のように示している、
ＤＶＤ層（Ｌ０）７５の反射率      →Ｒｒ０（＝Ｒｒ１）
ＤＶＤ層（Ｌ１）７７の反射率      →Ｒｒ１（＝Ｒｒ０）
ＨＤ ＤＶＤ層（Ｌ２）８１の反射率→Ｒｒ２
青紫色レーザ光(Ｉｂ)４０を本発明の光ディスク７０に入射させたとき各層の反射率を以下のように示している、
ＤＶＤ層（Ｌ０）７５の反射率      →Ｒｂ０
ＤＶＤ層（Ｌ１）７７の反射率      →Ｒｂ１
ＨＤ ＤＶＤ層（Ｌ２）８１の反射率→Ｒｂ２
図１５から分かるように、Ｌ０層のＡｇ合金膜の厚さが８ｎｍから１０ｎｍへ増加するに従い、赤色レーザ光で再生したときのＬ０層及びＬ１層の反射率（Ｒｒ０及びＲｒ１）は増加し、青紫色レーザ光で再生したときのＬ２層の反射率Ｒｂ２は減少する。Ｌ２層に関しては、複屈折が規格最大値の６０ｎｍあると、赤色レーザ光に対しては、反射率が８．２％減少し、青紫色レーザ光に対しては、２０％減少する。複屈折があった場合でも、Ｒｒ０及びＲｒ１は、Ｌ０層のＡｇ合金の膜厚が８〜１０ｎｍの間で規格を満足するが、Ｒｂ２は９．５ｎｍで１４％以下となってしまう。
【００６５】
一方、２層ＤＶＤディスクのレイヤクロストークとなるＨＤ ＤＶＤ層の赤色レーザ光での反射率Ｒｒ２は、Ｌ０層のＡｇ合金膜厚が８ｎｍでは１０％を超え、ＤＶＤ層を再生する上で大きな問題となる。
【００６６】
なお、光ディスクの入射面７１による反射率の低下は１０％としたが、反射防止コーティングなどを行えば、最大で１０％弱までアップさせることは可能である。
【００６７】
＝＝＝層間クロストークと反射率＝＝＝
赤色レーザ光で本発明の光ディスクを再生したとき、Ｌ０層及びＬ１層の反射率は２層ＤＶＤの反射率を満足する必要がある。更に、ＨＤ ＤＶＤ層の反射率は、ツインディスクでは８％未満となっているが、レイヤクロストークのためいくつかの再生装置ではうまく再生できない場合がある。しかし、ＨＤ ＤＶＤ層の反射率を６％（実測では６．４％）にするとほとんどの再生装置で読め、５％（実測で５．３％）にすると調べたすべての再生装置で読めることが確かめられた。
【００６８】
そこで、Ａｌ合金膜で形成されるＨＤ ＤＶＤ層（Ｌ２）の膜厚を薄くして、赤色レーザ光で再生したときのＬ２膜の反射率Ｒｒ２が６％以下となる場合を計算した。
【００６９】
図１６はそのときの各層の反射率を示す図である。このとき、青紫色レーザ光でＨＤ ＤＶＤ層（Ｌ２）を再生したときのグラフは、Ｌ０層のＡｇ合金膜厚が９ｎｍ弱のところピークを持ち、反射率Ｒｂ２は２３％強である。
【００７０】
図１７は、Ｒｂ１及びＲｂ２を除いた残りの反射率について、複屈折が無い場合と規格最大値の６０ｎｍがある場合(点線)を示す図である。
【００７１】
複屈折が無い場合は、Ｒｒ０及びＲｒ１が１８Ｒ％以上、Ｒｂ２が１４％以上となるのは、Ｌ０層のＡｇ合金膜厚が、概ね７．９〜９．８ｎｍ、複屈折が最大の６０ｎｍの場合は、Ｒｒ０及びＲｒ１が１８％以上、Ｒｂ２が１４％以上となるのは、概ね８．２〜９．５ｎｍである。このとき、Ｒｒ０及びＲｒ１は１８〜２７％弱にある。
【００７２】
次に、赤色レーザ光で再生したとき、Ｌ２層の反射率Ｒｒ２が５．３％以下となる場合を計算した。
【００７３】
図１８はそのときの各層の反射率を示す図である。このとき、青紫色レーザ光でＨＤ ＤＶＤ層（Ｌ２）を再生したときのグラフは、６％のときと同様、Ｌ０層のＡｇ合金膜厚が９ｎｍ付近でピークを持ち、反射率Ｒｂ２は概ね２３％である。
【００７４】
図１９は、Ｒｂ１及びＲｂ２を除いた残りの反射率について、複屈折が無い場合と規格最大値の６０ｎｍがある場合(点線)を示す図である。
【００７５】
複屈折が無い場合は、Ｒｒ０及びＲｒ１が１８Ｒ％以上、Ｒｂ２が１４％以上となるのは、Ｌ０層のＡｇ合金膜厚が、概ね８．１〜９．８ｎｍ、複屈折が最大の６０ｎｍの場合は、Ｒｒ０及びＲｒ１が１８％以上、Ｒｂ２が１４％以上となるのは、概ね８．５〜９．５ｎｍである。このとき、Ｒｒ０及びＲｒ１は１８〜２７％弱にある。
【００７６】
以上示した通り、Ｌ０層のＡｇ合金膜厚を９±０．５ｎｍ前後に設定すれば、赤色レーザ光で再生したときの２層ＤＶＤディスクの反射率を規格の１８〜３０％、ＨＤ ＤＶＤ層からのクロストークを６％以下（５．３％以下）、また、青紫色レーザ光で再生したときのＨＤ ＤＶＤ層の反射率を１４〜２８以下にすることが可能である。
【００７７】
なお、Ｌ０層のＡｇ合金膜厚を９±０．５ｎｍ前後に設定したとき、青紫色レーザ光でＨＤ ＤＶＤ層（Ｌ２）を再生したときのＤＶＤ層（Ｌ１）の反射率Ｒｂ１は、図１５よりＲｂ２と同等、又は小さいため、ＤＶＤ層（Ｌ１）からのクロストークは問題無い。
【００７８】
次に、Ｌ０層及びＬ１層に膜厚変動があった場合のＲｒ０及びＲｒ１の反射率比について検討する。今、（Ｌ０）が９±０．２ｎｍ、（Ｌ１）が１６．２±０．２ｎｍと厚み変動が生じた場合を考えてみる。
【００７９】
ＤＶＤ層（Ｌ０） ７５の反射率及び透過率
８．８ｎｍ：  ｒｒ０＝２５．２４％    ｔｒ０＝７０．２２％
９．２ｎｍ：  ｒｒ０＝２６．９６％    ｔｒ０＝６８．３８％
ＤＶＤ層（Ｌ１） ７７の反射率及び透過率
１６ｎｍ      ｒｒ１＝５３．８％      ｔｒ１＝４０．８％
１６．４ｎｍ  ｒｒ１＝５５．０８％    ｔｒ１＝３９．５２％
このとき、Ｒｒ０及びＲｒ１は
Ｒｒ０＝２２．７２〜２４．２６％
Ｒｒ１＝２２．６４〜２４．４４％
以上の計算から、反射率の比は、最悪でも１．０７５で、１．１以下を満足する。従って、膜厚変動があった場合でも、ＤＶＤ層の間隔（第１中間層７６）を４０μｍから３２μｍ程度まで狭めても２層間の反射率の比は１．１以下にあり、レイヤクロストークは問題ないことがわかる。
【００８０】
＝＝＝フラグ情報＝＝＝
次に、本発明の光ディスクのフラグのセットについて説明する。本発明の光ディスクは、ＤＶＤ層が２層ディスクであるので、ＤＶＤ層（Ｌ０）７５及び（Ｌ１）７７のData frameの４バイトからなるＩＤにおいて、ビットポジションb29, b24は、
b29 (Reflectivity) ： 1b (反射率が４０％以下)
b24(Layer number)  ： 0b（記録層（Ｌ０）の場合）
1b（記録層（Ｌ１）の場合）
と記述される。
【００８１】
ＤＶＤ層（Ｌ０）７５に形成されるリードインエリアのコントロールデータゾーン（ＣＤＺ）のＰＦＩの（ＢＰ２）の  b6 b5は、ディスクのレイヤ数を示すので
b6 b5(Number of layer)：  01b  （２層）
また、（ＢＰ１６）はＢＣＡの有無を示し、ＤＶＤビデオではＢＣＡがあってはならないので、
b7(BCA flag)  ：0b（ＢＣＡ無し）
と記述される。
【００８２】
一方、ＨＤ ＤＶＤ層（Ｌ２）８１は低反射率の１層ＨＤ ＤＶＤとして扱う必要があるので、Data frameの４バイトからなるＩＤは、
b29 (Reflectivity) ： 1b (反射率が４０％以下)
b24(Layer number)  ： 0b（記録層（Ｌ０））
と記述される。
【００８３】
ＨＤ ＤＶＤ層（Ｌ２）８１に形成されるリードインエリアのコントロールデータゾーン（ＣＤＺ）のＰＦＩの（ＢＰ２）の  b6 b5は、ディスクのレイヤ数を示すので
b6 b5(Number of layer)：  00b  （1層）
と記述される。
【００８４】
（ＢＰ１６）はＢＣＡの有無を示すので
b7(BCA flag)  ：1b（ＢＣＡ有り）
と記述される。
【００８５】
また、ＨＤ ＤＶＤ／ＤＶＤツインフォーマットディスクは、従来の1層ＤＶＤと1層ＨＤ ＤＶＤのツインフォーマットディスクの規定から
（ＢＰ３３）は
Layer 0 (b5-b3) ： 100b (ＤＶＤ−ＲＯＭフォーマット)
Layer 1 (b2-b0) ： 000b（ＨＤ ＤＶＤ−ＲＯＭフォーマット）
ただし、本発明のディスクは３層構造なので、２層構造のこの規定は当てはまらない。しかし、ＤＶＤ層が２層であることは、ＤＶＤ層をアクセスすれば判断できるので、このままでも使用は可能である。
【００８６】
しかし、ＨＤ ＤＶＤ層をアクセスしたとき、ＤＶＤ層が２層であることがわかれば更に便利なことは確かである。この場合は、layer 0 (b5-b3)に、例えば101b（２層ＤＶＤ−ＲＯＭフォーマット）を新たに定義すればよい。
【００８７】
次に、ＢＣＡのフラグ情報について説明する。ＨＤ ＤＶＤのＢＣＡレコードは8バイトあり、（ＢＰ４）はBook type and Disc typeを示す。この中のｂ２にツインフォーマットディスクを示すTwin format flagがあるので、
b2（Twin format flag）：  1b(ツインフォーマットディスク)
と記述される。
【００８８】
＝＝＝ＤＶＤ規格の光ディスク装置による再生＝＝＝
次に、本発明のディスクを従来のＤＶＤ再生装置で再生する場合について、図２０、図２１、及び図２２を使って説明する。図２０はよく知られている従来のＤＶＤ再生装置の主要構成を示し、図２１はその動作フロー、図２２はフォーカス信号とフォーカスサーボについて示している。
【００８９】
図２０において、スピンドルモータ１００は、ターンテーブルを回転駆動する。クランパ１０１は、光ディスク７０をターンテーブル上に把持する。スピンドルモータ１００は、モータドライバ１０２により制御される。光ヘッド１１０は、対物レンズ２１及び光学系１１３を含む。光学系１１３は、フォーカス及びトラッキングアクチュエータ１１６により駆動される。フォーカス及びトラッキングアクチュエータ１１６がアクチュエータドライバ１１８により制御されると、レーザ光が光ディスクのトラックに焦点を合わせ、かつ追従する。ラジアルアクチュエータ１１７は、光ヘッド１１０をディスクの半径方向へ移動させるものであり、アクチュエータドライバ１１８により制御される。
【００９０】
ディスクからの反射光は、光学系１１３から導出され、変換ユニット１１５のフォトディテクタで電気信号に変換される。この電気信号は、ゲイン調整ユニット１２０の再生信号増幅器でゲイン調整され、信号処理回路１３０に入力される。信号処理回路１３０では、復調処理及バッファリング、エラー訂正などが行われ、その出力はデータ処理回路１４０に入力される。ここでは、パケット分離、制御信号分離などが行われ、映像及び音声の情報はＡＶデコーダ１５０に入力される。ＡＶデコーダ１５０で復調された、映像信号及び音声信号、副映像信号などは、ＡＶ増幅器１６０を介してベースバンド信号として出力され、モニタに入力される。
【００９１】
サーボコントローラ１７０は、例えば４分割フォトダイオードからの再生信号を演算処理したフォーカスエラー信号及びトラッキングエラー信号を用いて、アクチュエータドライバ１１８に対して制御信号を与える。システムコントローラ１８０は、入力端末（例えばリモートコントローラ、あるいは操作キー入力部）１９０からの信号に応答して、装置の再生、停止、一時停止などを制御する。また、ゲイン調整ユニット１２０内のレーザダイオードドライバを制御する。レーザダイオードドライバは、光ヘッド１１０に搭載されているレーザダイオードを駆動し、この結果、レーザ光が出力される。
【００９２】
上記したＤＶＤ再生装置に本発明の光ディスク７０が装填されると、スピンドルモータ１００が所定の回転数まで回転する（図２１のステップ２００）。次に、赤色レーザ光２０を点灯、フォーカスアクチュエータ（ＡＣＴ）１１６に周期的な駆動電流が流され、光ヘッドが軸方向に上下する（図２１のステップ２０１，２０２）。再生信号から作ったフォーカス信号２０３が周期的に現れる（図２２参照）。２層ＤＶＤの最低反射率は１８％なので、ほぼ９％のＦＳ検出レベル２０４を設定すると、フォーカス検出信号２０６に２つ検出パルス２０７が得られる（図２１のステップ２０５、２０７）。
【００９３】
２つのパルスが得られたことから、このディスクは２層ＤＶＤと判断し（本当の判断は後で述べるＰＦＩ（物理フォーマットインフォーメーション）で行う）、２層ＤＶＤを再生するためのシーケンスに入る（図２１のステップ２０８）。
【００９４】
なお、いくつかのＤＶＤ再生装置では、ＦＳ検出レベル２０４が９％より低い７％前後に設定されている場合がある。その場合でも、本発明の光ディスクは、ＨＤ ＤＶＤ層の反射率が５．３％以下となっているので、誤って３層ディスクと検出することはない。
【００９５】
まず、再生信号のゲイン調整２１０を行った後（図２１のステップ２１０）、ＤＶＤ層（Ｌ０）７５にフォーカスオン（図２１のステップ２１４）させる。少しの整定時間を置いて記録層（Ｌ０）７５にオンフォーカスした状態（図２１のステップ２０４）となる。
【００９６】
この後、トラッキングオン（図２１のステップ２２０）とすれば、再生信号を読み取ることができる。光ヘッド１１０は、ディスクの任意の位置にあるが、再生信号のData frameのＩＤを読むことで、記録層（Ｌ０）か（Ｌ１）か、データエリアかリードインエリアなどの位置が判別でき、また、設定された反射率も知ることができる（図２１のステップ２２１）。
【００９７】
次に、ラジアルＡＣＴ１１７を駆動し、光ヘッドをリードインエリアに移動させ（図２１のステップ２２２）、コントロールデータゾーン（ＣＤＺ）のＰＦＩを読む（図２１のステップ２２３）。ここで（ＢＰ２）を調べ、２層ＤＶＤディスクであることを確認し、２層ＤＶＤ映像再生に入る（図２１のステップ２２６）。ユーザは、入力端末１９０を用いてＤＶＤ映像を楽しむことができる。
【００９８】
＝＝＝ＨＤ ＤＶＤ規格の光ディスク装置による再生＝＝＝
次に、青紫色レーザ光を用いたＨＤ ＤＶＤ再生装置の場合について、図２３、図２４、及び図２５を用いて説明する。図２３はＨＤ ＤＶＤ再生装置の主要構成を示し、図２４はその動作フロー、図２５はフォーカス信号とフォーカスサーボについて示している。ＨＤ ＤＶＤ再生装置の構成は、図１３に示した装置と類似しているので、類似部分に同一符号を付している。
【００９９】
ＨＤ ＤＶＤ装置に本発明の光ディスク７０が装着されると、スピンドルモータ１００が所定の回転数まで回転する（図２４のステップ２００）。次に、青紫色レーザ光４０を点灯（図２４のステップ２３１）、フォーカスＡＣＴ１１６に周期的な駆動電流が流され、光ヘッドが軸方向に上下する（図２４のステップ２３２）。再生信号から作ったフォーカス信号２３３が周期的に現れる（図２５参照）。
【０１００】
２層ＨＤ ＤＶＤディスクの最低反射率は２層ＤＶＤディスクと同様１８％なので、ほぼ９％にＦＳ検出レベル２３４を設定すると、フォーカス検出信号２３６で、２つの検出パルス２３７が得られる（ＴＦＤ（Twin format disc：ツインフォーマットディスク）にあわせて、更に低く設定しても良い）。また、時々３つのパルスが得られることもある（図２４のステップ２３５、２３７）。そこで、２層ＨＤ ＤＶＤディスク、ＴＦＤ（Twin format disc：ツインフォーマットディスク）、又は本発明の光ディスクと仮判断し（図２４のステップ２３８）、本発明ディスクの再生のシーケンスに入る（最終的な判断はＰＦＩ及びＢＣＡのフラグ情報で判断）。
【０１０１】
まず、再生信号のゲイン調整（図２４のステップ２４０）を行った後、ＨＤ ＤＶＤ層（Ｌ２）８１にフォーカスオンさせる（図２４のステップ２４４）。少しの整定時間を置いて層（Ｌ２）８１にオンフォーカスした状態（図２４のステップ２４５）となる。この後、トラッキングオン（図２４のステップ２５０）になれば、再生信号を読み取ることができる。光ヘッド１１０は、ディスクの任意の位置にあるが、再生信号のData frameのＩＤを読むことで、２層ＨＤ ＤＶＤの（Ｌ０）３５か（Ｌ１）３７か、又はＳＬ(単層)か、さらにデータエリアかリードインエリアなどの位置を判別でき、また、設定された反射率も知ることができる（図２４のステップ２５１）。
【０１０２】
もし、ここで（Ｌ０）層かＳＬではなく（Ｌ１）層が識別された場合は、このディスクは２層ＨＤ ＤＶＤディスクなので、２層ＨＤ ＤＶＤディスクのフロー２６０（ここでは図示していない）に移る。
【０１０３】
Ｌ０層又はＳＬと判断された場合は、ラジアルＡＣＴ１１７を駆動し、光ヘッドをシステムリードインエリアに移動させ（図２４のステップ２５２）、コントロールデータゾーン（ＣＤＺ）のＰＦＩを読む（図２４のステップ２５３）。ここで（ＢＰ２）からＨＤ ＤＶＤの1層ディスクであること、（ＢＰ１６）からこのディスクにＢＣＡがあること、（ＢＰ３３）からこのディスクにＤＶＤ層が形成されていることが分かる。続いて、ＢＣＡを読む（図２４のステップ２５４）とＢＣＡレコードＩＤの（ＢＰ４）から、本発明の光ディスクであることが最終的に確認され（図２４のステップ２５５）、ＨＤ ＤＶＤ映像の再生に入る（図２４のステップ２５６）。ユーザは、入力端末１９０を用いてＨＤ ＤＶＤ映像を楽しむことができる。
【０１０４】
＝＝＝ＨＤ ＤＶＤとＤＶＤの両規格に対応した光ディスク装置による再生＝＝＝
次に、図２６、図２７を用いて、青紫色レーザ光と赤色レーザ光の両方を用いる本発明に係るコンパチ装置について説明する。図２６はコンパチ装置の構成、図２７はその動作フローである。コンパチブル再生装置は、赤色レーザ光と青紫レーザ光を選択的に出力することができる。先に説明した再生装置と類似する部分には、同一符号を付している。
【０１０５】
まず、このコンパチ再生装置に本発明のディスクを装着し、ディスクを回転させる（図２７のステップ２００）。次にレーザを点灯させてフォーカス／トラッキング、信号再生、映像再生へと移るが、最初は青紫色レーザ光を点灯させ（図２７のステップ２３１）、ＨＤ ＤＶＤ層の映像を再生する。
【０１０６】
ＨＤ ＤＶＤ映像の再生フローは図２３と同じで、ＨＤ ＤＶＤ層（Ｌ２）８１にフォーカスオン（図２７のステップ２４４）、続いてトラッキングオンし（図２７のステップ２５０）、データフレームＩＤ、システムリードインのＰＦＩ、そしてＢＣＡを読んで、このディスクが本発明の光ディスクと判断し、ＨＤ ＤＶＤの映像再生を行う。ユーザは入力端末１９０を使ってＨＤ ＤＶＤの映像を楽しむ事ができる。
【０１０７】
次に、ユーザが入力端末１９０を使ってＤＶＤの再生を指定した場合、ＤＶＤへの切り替え信号２６１によって、赤色レーザが点灯される（図２７のステップ２０１）。この後は、図２０の動作フローと同じで、フォーカスＡＣＴ１１６が駆動され、記録層の探査（図２７のステップ２０２）、ＤＶＤ層（Ｌ０）７５へのフォーカスオン、トラッキングオン（図２７のステップ２２０）と進み、２層ＤＶＤ映像の再生（図２７のステップ２２６）となる。
【０１０８】
次に、再びユーザが入力端末１９０を使ってＨＤ ＤＶＤの再生を指定すると、ＨＤ ＤＶＤ再生への切り替え信号２６２によって、青紫色レーザが点灯され（図２７のステップ２３１）、先に示した方法でＨＤ ＤＶＤの映像を再生する（図２７のステップ２５６）ことができる。
【０１０９】
以上のように、本発明によれば、１枚の光ディスクにＨＤ ＤＶＤ層と２層ＤＶＤを形成することができ、既存のＤＶＤ装置では２層ＤＶＤを再生し、ＨＤ ＤＶＤ規格に対応したＨＤ ＤＶＤ装置ではＨＤ ＤＶＤ層を再生し、この発明に係るコンパチ装置では、２層ＤＶＤとＨＤ ＤＶＤ層の両方を再生することができ、既存のＤＶＤ規格の製品群と新規なＨＤ ＤＶＤ規格の製品群とが両立しつつ、ＨＤ ＤＶＤ規格の製品群が一般利用者にスムーズに普及することを促すことができる。
【０１１０】
＝＝＝他の実施形態＝＝＝
上記の実施例では、第１記録層及び第２記録層の半透明膜をＡｇ合金で形成した場合を説明した。しかしながら、２つの波長の異なるレーザ光に対し、選択的に反射率、透過率が設定できれば更に効率よく働かすことができる。
【０１１１】
例えば、第１記録層及び第２記録層を多重干渉膜などで形成することで、より効果的な反射率の設定が可能である。
【０１１２】
＝＝＝上記した実施形態の基本的事項のまとめ＝＝＝
この発明に係る光ディスクは、基本的に、つぎの事項（１）〜（８）により特定されるものである。
【０１１３】
（１）光透過層と、第１レーザ光によりアクセスされる第１記録層と第２記録層、第２レーザ光によりアクセスされる第３記録層がレーザ光入射方向に順に配置された片面３層光ディスクであること、
（２）第１記録層の位置が光入射面から最小５５０μｍであること、
（３）第１記録層と第３記録層との間隔が最大で７２μｍであること、
（４）第２記録層と第３記録層との間隔が最小１５μｍであること、
（５）第１記録層と第２記録層との間隔が概ね３１〜４０μｍの間であること、
（６）第1レーザ光による第１記録層及び第２記録層のからの反射率の範囲が１８〜２７％で、その比が概ね１．１以下であること、
（７）第１レーザ光による第３記録層からの反射率が６％未満であること、
（８）第３記録層の面記録密度が第１記録層及び第２記録層の面記録密度の３倍以上であること。
【０１１４】
またこの発明に係る光ディスク装置は、つぎの事項（９）により特定されるものである。
【０１１５】
（９）第２レーザ光による第３記録層の反射率が１４〜２４％であること、
また、この発明に係る光ディスク装置は、つぎの事項（１０）〜（１２）により特定されるものである。
【０１１６】
（１０）第１記録層を形成した第１信号基板であること、
（１１）第２基板に形成した第３記録層上に第２の中間層を介して第２記録層を形成してあること、
（１２）第１信号基板および第２信号基板の記録層面を内側にして２つの基板を接着して第１中間層を形成すること。
【０１１７】
また、この発明に係る光ディスク装置は、つぎの事項（１３）〜（２２）により特定されるものである。
【０１１８】
（１３）光ディスクに記録された情報を読み取る装置であること、
（１４）光透過層と、第１レーザ光によりアクセスされる第１記録層と第２記録層、第２レーザ光によりアクセスされる第３記録層がレーザ光入射方向に順に配置された片面３層光ディスクであること、
（１５）第１記録層の位置が光入射面から最小５５０μｍであること、
（１６）第１記録層と第３記録層との間隔が最大で７２μｍであること、
（１７）第２記録層と第３記録層との間隔が最小１５μｍであること、
（１８）第１記録層と第２記録層との間隔が概ね３１〜４０μｍの間であること、
（１９）第1レーザ光による第１記録層及び第２記録層のからの反射率の範囲が１８〜２７％で、その比が概ね１．１以下であること、
（２０）第１レーザ光による第３記録層からの反射率が６％未満であること、
（２１）第３記録層の面記録密度が第１記録層及び第２記録層の面記録密度の３倍以上であること、
（２２）情報を読み取る装置は、第１レーザ光と第２レーザ光を発生可能な光ヘッドと、第１レーザ光か第２レーザ光を選択的に発生させる制御手段を備えていること。
【０１１９】
また、この発明に係る光ディスク装置は、上記の事項を基本とし、つぎの事項（２３）を加えて実施することができる。
【０１２０】
（２３）制御手段は、ユーザインタフェースからの利用者入力に基づいて第１レーザ光か第２レーザ光を選択すること。
【０１２１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１２２】
【図１】片面２層ＤＶＤディスクの基本構造と光ヘッドの関係を示す図である。
【図２】片面２層ＤＶＤディスクの記録層の位置を示す図である。
【図３】片面２層ＨＤ ＤＶＤディスクの基本構造と光ヘッドの関係を示す図である。
【図４】片面２層ＨＤ ＤＶＤディスクの記録層の位置を示す図である。
【図５】ＨＤ ＤＶＤ／ＤＶＤツインフォーマットディスクの基本構造と光ヘッドの関係を示す図である。
【図６】ＨＤ ＤＶＤ／ＤＶＤツインフォーマットディスクの記録層の位置を示す図である。
【図７】本発明の光ディスクの基本構造と光ヘッドの関係を示す図である。
【図８】本発明の光ディスクの記録層の位置を示す図である。
【図９】本発明ディスク作製の一実施例を示す図である。
【図１０】本発明ディスク作製のプロセスを示す図である。
【図１１】Ａｇ合金膜の反射率と透過率の実測値を示す図である。
【図１２】Ａｇ合金膜の反射率と透過率の計算値を示す図である。
【図１３】本発明の光ディスクの赤色レーザ光に対する各層の反射率を示す図である。
【図１４】本発明の光ディスクの青紫色レーザ光に対する各層の反射率を示す図である。
【図１５】（Ｌ０）層の膜厚を変化させたときの各層の反射率(複屈折無し）を示す図である。
【図１６】Ｒｒ２の反射率を６％以下としたときの各層の反射率(複屈折無し）を示す図である。
【図１７】複屈折の有無による各層の反射率（Ｒｒ２は６％以下。Ｒｂ０及びＲｂ１は除く）を示す図である。
【図１８】Ｒｒ２の反射率を５．３％以下としたときの各層の反射率(複屈折無し）を示す図である。
【図１９】複屈折の有無による各層の反射率（Ｒｒ２は５．３％以下。Ｒｂ０及びＲｂ１は除く）を示す図である。
【図２０】ＤＶＤ規格に適合した再生装置の構成を示す図である。
【図２１】ＤＶＤ規格に適合した再生装置で本発明の光ディスクを赤色レーザ光で再生したときの動作フローを示す図である。
【図２２】ＤＶＤ規格に適合した再生装置で本発明の光ディスクを赤色レーザ光で再生したときのフォーカス信号とフォーカスサーボの関係を示す図である。
【図２３】本発明の光ディスクに適合したＨＤ ＤＶＤ再生装置の構成を示す図である
【図２４】本発明の光ディスクに適合したＨＤ ＤＶＤ再生装置で本発明の光ディスクを再生したときの動作フローを示す図である。
【図２５】本発明の光ディスクに適合したＨＤ ＤＶＤ再生装置で本発明の光ディスクを青紫色レーザ光で再生したときのフォーカス信号とフォーカスサーボの関係を示す図である。
【図２６】本発明の光ディスクに適合したＨＤ ＤＶＤ/ＤＶＤコンパチ再生装置の構成を示す図である。
【図２７】本発明の光ディスクに適合したＨＤ ＤＶＤ/ＤＶＤコンパチ再生装置の動作フローを示す図である。
【符号の説明】
【０１２３】
７０…光ディスク、７２…第１信号基板、７３…第２信号基板、７４…光透過層、７５…第１記録層、７６…第１中間層、７７…第２記録層、８０…第２中間層、８１…第３記録層。
【図１】
2007052863.tif 000003
【図２】
2007052863.tif 000004
【図３】
2007052863.tif 000005
【図４】
2007052863.tif 000006
【図５】
2007052863.tif 000007
【図６】
2007052863.tif 000008
【図７】
2007052863.tif 000009
【図８】
2007052863.tif 000010
【図９】
2007052863.tif 000011
【図１０】
2007052863.tif 000012
【図１１】
2007052863.tif 000013
【図１２】
2007052863.tif 000014
【図１３】
2007052863.tif 000015
【図１４】
2007052863.tif 000016
【図１５】
2007052863.tif 000017
【図１６】
2007052863.tif 000018
【図１７】
2007052863.tif 000019
【図１８】
2007052863.tif 000020
【図１９】
2007052863.tif 000021
【図２０】
2007052863.tif 000022
【図２１】
2007052863.tif 000023
【図２２】
2007052863.tif 000024
【図２３】
2007052863.tif 000025
【図２４】
2007052863.tif 000026
【図２５】
2007052863.tif 000027
【図２６】
2007052863.tif 000028
【図２７】
2007052863.tif 000029